(57)【要約】      （修正有）【課題】種々の組み付け誤差に関わらず、蓋体に対する締め付け力を確保することと、蓋体に対する締め付け力が過大になることを確実に防止すること。【解決手段】洗浄槽２がレールを介して洗浄機本体１に出し入れ自在に支持され、下面にパッキンを備えた蓋体３が洗浄機本体１に昇降自在に支持されており、洗浄槽２の押し込み動作で、傾斜カム１１とカムローラ３１とのカム作用によって開蓋バネに抗して蓋体３を下降させて閉蓋するようになっている引き出し式食器洗い機を前提として、カムローラ３１が蓋体３の案内手段によって所定範囲昇降自在に支持されており、上記カムローラ３１がカム用バネを介して蓋体３に連結されていて当該カム用バネで上昇方向に付勢されており、当該カム用バネの予荷重でカムローラ３１が上記案内手段の上端位置に保持されていること。【選択図】図２
2008200388.tif 000002
【特許請求の範囲】
【請求項１】
洗浄槽がレールを介して洗浄機本体に出し入れ自在に支持され、下面にパッキンを備えた蓋体が洗浄機本体に昇降自在に支持されており、洗浄槽の押し込み動作で、傾斜カムとカムローラとのカム作用によって開蓋バネに抗して蓋体を下降させて閉蓋するようになっている引き出し式食器洗い機において、
カムローラが蓋体の案内手段によって所定範囲昇降自在に支持されており、
上記カムローラがカム用バネを介して蓋体に連結されていて当該カム用バネで上昇方向に付勢されており、当該カム用バネの予荷重でカムローラが上記案内手段の上端位置に保持されている引き出し式食器洗い機。
【請求項２】
洗浄槽がレールを介して洗浄機本体に出し入れ自在に支持され、下面にパッキンを備えた蓋体が洗浄機本体に昇降自在に支持されており、洗浄槽の押し込み動作で、傾斜カムとカムローラとのカム作用によって開蓋バネに抗して蓋体を下降させて閉蓋するようになっており、蓋体の洗浄槽に対する左右方向の位置を調整するセンターリング機構を備えている引き出し式食器洗い機において、
上記カムローラが蓋体の案内手段によって所定範囲昇降自在に支持されており、
上記カムローラがカム用バネを介して蓋体に連結されていて当該カム用バネで上昇方向に付勢されており、当該カム用バネの予荷重でカムローラが上記案内手段の上端位置に保持されている引き出し式食器洗い機。
【請求項３】
上記案内手段がカムローラの軸を上下動自在に支持しており、上記カム用バネが引っ張りバネであり、カムローラが当該引っ張りバネで引き上げられて、上記案内手段の最上位置に保持されている請求項１又は請求項２の引き出し式食器洗い機。
【請求項４】
洗浄槽がレールを介して洗浄機本体に出し入れ自在に支持され、下面にパッキンを備えた蓋体が洗浄機本体に昇降自在に支持されており、洗浄槽の押し込み動作で、傾斜カムとカムローラとのカム作用によって開蓋バネに抗して蓋体を下降させて閉蓋させるようになっている引き出し式食器洗い機において、
傾斜カムが洗浄槽の側壁の案内手段で所定範囲昇降自在に支持されており、
上記傾斜カムがカム用バネによって下降方向に付勢されており、傾斜カムが上記カム用バネの予荷重を受けて上記案内手段の最下位置に保持されている引き出し式食器洗い機。
【請求項５】
洗浄槽がレールを介して洗浄機本体に出し入れ自在に支持され、下面にパッキンを備えた蓋体が洗浄機本体に昇降自在に支持されており、洗浄槽の押し込み動作で、傾斜カムとカムローラとのカム作用によって開蓋バネに抗して蓋体を下降させて閉蓋させるようになっており、蓋体の洗浄槽に対する左右方向の位置を調整するセンターリング機構を備えている引き出し式食器洗い機において、
傾斜カムが洗浄槽の側壁の案内手段で所定範囲昇降自在に支持されており、
上記傾斜カムがカム用バネによって下降方向に付勢されており、傾斜カムが上記カム用バネの予荷重を受けて上記案内手段の最下位置に保持されている引き出し式食器洗い機。
【請求項６】
上記案内手段がブロック状の傾斜カムを上下動自在に支持するガイド機構であり、また、上記カム用バネが圧縮バネであり、傾斜カムが圧縮バネで押し下げられて上記ガイド機構の最下位置に保持されている請求項４又は５の引き出し式食器洗い機。
【請求項７】
上記引っ張りバネが密着コイルバネである請求項２の引き出し式食器洗い機。
【請求項８】
蓋体と洗浄槽とが互いに嵌り合う凹部と凸部があって、これによって上記センターリング機構が構成されており、
上記センターリング機構が前方左右又は後方左右に設けられており、
上記傾斜カムとカムローラによる傾斜カム機構が前方左右及び後方左右に設けられている請求項２又は請求項５の食器洗い機。
【発明の詳細な説明】
【技術分野】
【０００１】
この発明は、引き出し式食器洗い機、殊にその蓋の開閉操作機構に関するものであり、蓋体の下面にパッキンがあり、洗浄槽の出し入れ操作に連動して蓋体が昇降し、これによって洗浄槽が開閉される食器洗い機について、蓋体の洗浄槽に対する組み付け誤差に起因して蓋体に対する締め付け力が不足することと、過大になることを回避し、締め付け力不足によって生じるパッキンの密封不良、早期損傷を防止することができるものである。
【背景技術】
【０００２】
外箱すなわち洗浄機本体の底面に設けた左右のレールで洗浄槽が出し入れ自在に支持されており、洗浄槽の出し入れ動作に連動して昇降するように蓋体が外箱に支持されており、蓋体のパッキンが洗浄槽の上縁面に当接して蓋体と洗浄槽間を密封するものがある。
そして、上記蓋体の支持機構として前後左右の４つの平行リンクを用い、蓋体を戻しバネで前方に付勢しており、洗浄槽の押し込み動作によりその後端で蓋体後端のフランジを押して、上記戻しバネに抗して蓋体を後方及び下方に移動させて閉蓋させるものがある（特許第３７８９７７５号公報の第１５図参照）。
【０００３】
また、線材バネ（開蓋バネ）の中央を洗浄機本体に取付け、前後両端で蓋体を支持させ、洗浄槽の外側面の傾斜カムと蓋体の外側部にカムローラを設けてあり、洗浄槽の押し込み動作で、上記傾斜カムと上記カムローラとが作用し、このカム作用で、上記線材バネに抗して蓋体を引き下げるようにしたものがある（特許第３７８９７７５号公報）。この後者の構成の概要は図８、図９、図１０に示すとおりであり、その洗浄機本体２０１の底に左右のレールＲがあり、このレールＲによって、洗浄槽２０２が出し入れ自在に支持されている。
【０００４】
洗浄機本体２０１の側壁面に線材バネ２０４の中央部が係止されており、この線材バネ２０４の前後両端２０４ａ，２０４ａで蓋体２０３を支えている。
洗浄機本体２０１にガイドローラ２０１ａがあり、蓋体２０３の左右両側に設けた支持板２０５に縦方向スロット２０５ａがあり、当該縦方向スロット２０５ａに上記ガイドローラ２０１ａが嵌っていて、これにより蓋体２０３の昇降動作を案内している。
洗浄槽２０２の前後左右に傾斜カム２１１があり、これに対向するカムローラ２３１が蓋体２０３の左右の支持板２０５の前後に設けられている。
洗浄槽２０２が押し込まれると、その押し込み動作の最終段階で、上記傾斜カム２１１の傾斜カム面２１１ａに上記カムローラ２３１が当接して押し下げられる。これによって蓋体２０３が引き下げられ、そのパッキンｐが洗浄槽２０２の上縁面に当接して洗浄槽が閉蓋される。
【０００５】
上記背景技術においては、蓋体下面にパッキンｐが固定されており、閉蓋時に上記パッキンｐが洗浄槽の上縁面に当接して蓋体と洗浄槽の上縁面間を密封する。しかし、洗浄槽２０２の上面に対するパッキンｐの左右方向の位置がずれていると、その密封性が低下し、水漏れを生じることになる。
洗浄槽２０２はレールＲで洗浄機本体２０１の底面に支持されており、蓋体２０３は洗浄機本体に平行リンクや線材バネ等で昇降自在に支持されているので、洗浄槽の洗浄機本体２０１に対する左右方向の組み付け誤差及び蓋体の洗浄機本体に対する組み付け誤差によって蓋体と洗浄槽間に左右方向の位置ずれを生じ、また、輸送時や設置時の取扱不備等による洗浄機本体の変形、洗浄槽の変形によっても左右方向の位置ずれを生じる。
【０００６】
〔従来技術１〕
ところで、蓋体の洗浄槽に対する左右方向の位置ずれを防止することを目的とした発明は既に公知であり、その一例が特許第３２７５８８５号公報に記載されている。この公知例は、洗浄槽の洗浄機本体に対する左右方向のセンターリング機構（位置調整機構）を備えていて、洗浄槽の押し込み動作で上記センターリング機構が働いて、洗浄槽の洗浄機本体に対する左右方向の位置合わせを行うものである。しかしこのものは、洗浄槽の洗浄機本体に対する左右方向の位置ずれを調整することで、蓋体の洗浄槽に対する左右方向の位置ずれを調整するものであるが、蓋体の洗浄機本体に対する位置ずれを直接的に調整する機能はないから、実際問題として、洗浄槽の洗浄機本体に対する左右方向の位置ずれ分が解消されず、したがって、蓋体の洗浄槽に対する位置合わせ精度が低くなるのは避けられない。
【０００７】
〔従来技術２〕
また、蓋体と洗浄槽間の左右方向位置ずれを防止することを目的とする発明として、蓋体の洗浄槽に対する左右方向のセンターリング機構（位置調整機構）を備えていて、洗浄槽の押し込み動作で上記センターリング機構が働いて、蓋体の洗浄槽に対する左右方向の位置合わせを行うものも公知である（特許第３４１７３５２号公報、３４１７３５３号公報）。このものは、蓋体の洗浄槽に対する左右方向位置を直接的に調整するものであるから、蓋体の洗浄槽に対する位置合わせ精度は高い。この従来技術の一例が図１１、図１２に示されている。
【０００８】
この従来技術２は、下面にパッキンを備えた蓋体１０３が平行リンク１０４で洗浄機本体１０１に支持されている形式のものである。そして、これは、洗浄槽１０２が押し込まれるとき、その後端の押圧部１０２ａで蓋体１０３から下方に突設されたフランジ１０３ａを押して蓋体１０３を戻しバネ１０３ｓに抗して後退させ、蓋体１０３を後退させながら平行リンク１０４で引き下げる食器洗い機について、センターリング機構を設けたものである。この従来技術のセンターリング機構は、洗浄槽１０２の前方の左右両端に第１のガイド１０２ｂを設け、蓋体１０３の前方の左右両端に第２のガイド１０３ｂを設けたものであり、洗浄槽１０２が押し込まれると、第１のガイド１０２ｂが蓋体１０３の第２のガイド１０３ｂに内側から接触して、左右方向にずれている分だけ、蓋体１０３を左右方向（ずれを調整する方向）に押し戻して、洗浄槽に対する左右方向の位置を調整する（センターリング）。そして、洗浄槽の押し込み動作の終了近くで、押圧部１０２ａが上記フランジ１０３ａに当接してこれを押して、蓋体１０３を引き下げて閉蓋させる。
【０００９】
以上が従来技術２の概要である。この従来技術２においては、センターリングして後の閉蓋動作中においても第１のガイド１０２ｂと、第２のガイド１０３ｂとが当接して擦れ合うことになり、洗浄槽の押し込み動作の閉蓋前から閉蓋完了まで上記第１のガイド１０２ｂと第２のガイド１０３ｂとの摩擦力が作用することになる。そして、蓋体の洗浄槽に対する左右方向のずれが大きいときは上記摩擦力が洗浄槽の押し込み動作に対する大きな抵抗となり、押し込み動作の円滑性が損なわれることになる。
【００１０】
ところで、洗浄槽の押し込み動作で平行リンクや傾斜カムを利用して引き下げて閉蓋させるものでは、蓋体の洗浄槽への組み付け精度の如何によって最終的な締め付け力が大幅に変動し、洗浄槽の押し込み動作が終わるまで閉蓋動作が継続し、洗浄槽の蓋体に対する締め付け力が増大する。そして、組み付け誤差のために締め付け力が不足するとシール不良となって漏洩を生じる。他方、締め付け力が過大であると強い引きずりのためにパッキンがこじれ、早期に損傷され、その結果、洗浄槽からの水の漏洩を生じることになる。そしてまた、これによって、洗浄槽の押し込み動作に対する抵抗が著しく大きくなるという問題がある。そして、上記従来技術１，２のようにセンターリング機構を備えたものは、閉蓋動作の終点までセンターリング作用がなされるので、上記の問題が顕著である。
【特許文献１】特許第３７８９７７５号公報
【特許文献２】特許第３２７５８８５号公報
【特許文献３】特許第３４１７３５２号公報
【特許文献４】特許第３４１７３５３号公報
【発明の開示】
【発明が解決しようとする課題】
【００１１】
この発明は、傾斜カムとカムローラを利用して蓋体を引き下げて閉蓋させる従来技術を前提とし、蓋体の洗浄機本体への組み付け誤差、傾斜カムとカムローラによる傾斜カム機構の洗浄槽や蓋体への組み付けなどの種々の組み付け誤差（以下これを、「傾斜カム機構の組み付け誤差」という）に関わらず、蓋体に対する締め付け力が不足することを回避することと、蓋体に対する締め付け力が過大になることを確実に防止することを目的とし、所定以上の締め付け力がかからないように、傾斜カムとカムローラとによる傾斜カム機構を工夫することをその課題とするものである。
【課題を解決するための手段】
【００１２】
１．解決手段１
上記課題を解決するための手段１は、洗浄槽がレールを介して洗浄機本体に出し入れ自在に支持され、下面にパッキンを備えた蓋体が洗浄機本体に昇降自在に支持されており、洗浄槽の押し込み動作で、傾斜カムとカムローラとのカム作用によって開蓋バネに抗して蓋体を下降させて閉蓋するようになっている引き出し式食器洗い機を前提として、次の（イ）（ロ）によるものである。
（イ）カムローラが蓋体の案内手段によって所定範囲昇降自在に支持されており、
（ロ）上記カムローラがカム用バネを介して蓋体に連結されていて当該カム用バネで上昇方向に付勢されており、当該カム用バネの予荷重でカムローラが上記案内手段の上端位置に保持されていること。
【００１３】
上記の「予荷重」は、カム用バネが予め弾性変形されていて、これによって予めかけられているバネ力を意味する。
蓋体は開蓋バネ（図８の線材バネ２０４参照）で引き上げられて開位置に保持されており、また、上記カムローラは上記開蓋バネによって所定の予荷重がかけられた状態にあり、この状態で上記案内手段の上端位置に保持されている。
【００１４】
カムローラが傾斜カムに当接すると、カムローラは上記予荷重に抗してそのカム面で押し下げられ、その結果、蓋体が上記カム用バネを介して引き下げられるようになる。このときは、線材バネ（開蓋バネ）による蓋体に対する保持力は上記カム用バネによる予荷重よりも小さいので、蓋体が線材バネに抗して容易に引き下げられ、パッキンが洗浄槽に当接する。その後はパッキンが圧縮されるので、蓋体の引き下げ抵抗が増大する。パッキンの圧縮量が増大して蓋体に対する引き下げ抵抗が上記バネの予荷重を超えると、上記バネに抗してカムローラが引き下げられるようになる。このカムローラの引き下げにより上記バネがさらに歪み、そのバネ力が増大して蓋体に対する締め付け力が増大する。そして、バネの強さを適切に選択することによってその歪みの増大によるバネ力は必要な限度に抑制される。
【００１５】
以上のように、蓋体に対する必要最低限の締め付け力が上記バネの予荷重で確保され、また、その上限は上記バネの強さを適切に選択することで適切に抑制される。したがって、傾斜カム機構の組み付け誤差の如何に関わらず、蓋体に対する締め付け不足がなく、所要の締め付け力が確保され、また、過大にならないように適切に制限される。
【００１６】
〔実施態様１〕
解決手段１の実施態様１は、上記案内手段がカムローラの軸を上下動自在に支持しており、また、上記カム用バネが引っ張りバネであり、カムローラが当該バネで引き上げられて上記案内手段の最上位置に保持していることである。
【００１７】
２．解決手段２
上記課題を解決するための手段２は、洗浄槽がレールを介して洗浄機本体に出し入れ自在に支持され、下面にパッキンを備えた蓋体が洗浄機本体に昇降自在に支持されており、洗浄槽の押し込み動作で、傾斜カムとカムローラとのカム作用によって開蓋バネに抗して蓋体を下降させて閉蓋させるようになっている引き出し式食器洗い機を前提として、次の（イ）（ロ）によるものである。
（イ）傾斜カムが洗浄槽の側壁の案内手段で所定範囲昇降自在に支持されており、
（ロ）上記傾斜カムがカム用バネによって下方に付勢されており、傾斜カムが上記カム用バネの予荷重を受けて上記案内手段の最下位置に保持されていること。
【００１８】
蓋体は、開蓋バネで引き上げられて開位置に保持されており、傾斜カムは上記カム用バネの所定の予荷重で上記案内手段の下端位置に保持されている。
上記カム用バネの上記予荷重は、上記線材バネによる蓋体に対する保持力よりも大きいので、カムローラが傾斜カムに当接すると蓋体が開蓋バネに抗して容易に引き下げられパッキンが洗浄槽に当接し、その後、蓋体の引き下げ抵抗が増大する。
パッキンの圧縮量が増大して蓋体に対する引き下げ抵抗が上記カム用バネの予荷重を超えると、上記カム用バネに抗して傾斜カムが押し上げられる。この傾斜カムの押し上げにより上記カム用バネの歪み（圧縮量）が増大してバネ荷重（バネ力）が増大し蓋体に対する締め付け力が増大するが、その増分は当該バネの強さを適切に選択することによって所定の範囲内に抑制される。
【００１９】
以上のように、蓋体に対する締め付け力は、その最小値が上記バネの予荷重で規定され、また、その最大値がカム用バネのバネ定数の選択によって所定内に抑制されるので、傾斜カム機構の組み付け誤差の如何に関わらず、蓋体に対する傾斜カム機構による締め付け力は、所要の最小値が確保され、かつ、最大値が予定の範囲内に制限される。
【００２０】
解決手段２の実施態様１は、上記案内手段がブロック状の傾斜カムを上下動自在に支持するガイド機構であり、また、上記カム用バネが圧縮バネであり、傾斜カムが圧縮バネで押し下げられて上記ガイド機構の最下位置に保持されているものである。
上記圧縮バネについてはコイルバネ、板バネのいずれも可能であるが、板バネによる場合は、ブロック状の傾斜カムに対する支持機構が単純になるという利点がある。
【発明の効果】
【００２１】
洗浄槽がレールを介して洗浄機本体に出し入れ自在に支持され、下面にパッキンを備えた蓋体が洗浄機本体に昇降自在に支持されており、洗浄槽の押し込み動作で、傾斜カムとカムローラとのカム作用によって開蓋バネに抗して蓋体を下降させて閉蓋させるようになっている引き出し式食器洗い機について、そのカムローラ又は傾斜カムをバネを介して蓋体又は洗浄槽に上下方向の自在性を連結したことで、蓋体と洗浄槽間のパッキンに対する締め付け力が不足することと、過大になることを防止できる。
したがって、傾斜カムとカムローラとによる締め付け力がカム用バネの予荷重によって規定されるから、そのカムストロークの如何による蓋体に対する締め付け力の変動が小さく、したがって、パッキンに対する締め付け力不足によるシール不良も回避される。
また、過大な力で締め付けられた状態で蓋体のパッキンが洗浄槽に対して前後方向に引きずられることはなく、したがって、パッキンが無理に引きずられてこじられ、その結果パッキンのシール性や耐久性が損なわれることが回避される。
【発明を実施するための最良の形態】
【００２２】
次いで、図面を参照して、解決手段１の具体例、解決手段２の具体例を説明する。
【実施例１】
【００２３】
この実施例１は解決手段１の具体例である（図１〜図４）。洗浄槽２は、洗浄機本体１にレールＲ（図８のレールＲ参照）で出し入れ自在に支持されており、また、洗浄機本体１に蓋体３が上下動自在に支持されている。
蓋体３は開蓋バネとしての線材バネ４で押し上げられており、通常は開位置に保持されている。そして、洗浄槽２が洗浄機本体１に押し込まれたときに上記蓋体３が傾斜カム機構（傾斜カム１１とカムローラ３１によるもの）で上記線材バネ４に抗して引き下げられる。
【００２４】
蓋体３が引き下げられたときに洗浄槽２は閉蓋されてパッキンｐで密封される。蓋体３にはその左右側部に支持板１０がそれぞれ固定されており、当該支持板１０の前後両端部にカムローラ３１が取付けられている。また、線材バネ４の中央が食器洗い機本体１の側壁に係止されており、線材バネ４の前後両側端でガイドローラ３２の軸を押し上げ、これによって蓋体３を押し上げている。
洗浄槽２の左右の側壁上端に前後一対の傾斜カム１１があり、洗浄機本体１の左右両側壁上端に傾斜ガイド孔１２があり、蓋体３にカムローラ３１、ガイドローラ３２があり、カムローラ３１が傾斜カム１１に対向し、ガイドローラ３２が傾斜ガイド孔１２に挿入されている。
【００２５】
洗浄槽２が洗浄機本体１に押し込まれるとき、その押し込みストロークの最終段階で洗浄槽２の傾斜カム１１，１１が前後のカムローラ３１，３１に当接し、これを傾斜カム面１１ａで押して、カムローラ３１を介して蓋体３を引き下げる。このとき、ガイドローラ３２が傾斜ガイド孔１２内を下方に移動しつつ、当該ガイド孔１２に沿って案内されて斜め後方に移動する。この斜め後方への移動によって、洗浄槽２の上縁面に対する後方への相対移動は少なく、蓋体３はこの状態で洗浄槽２の上縁面に対して降下することになる。したがって、洗浄槽２の上縁面が蓋体３のパッキンｐに当接してからの蓋体３に対する後方への移動で上記パッキンｐが圧縮されながら少し引きずられてこじられる。
以上は、従来技術の範囲内の構成である。
【００２６】
支持板１０の前方、後方に上下方向の長孔１０ｄがあり、当該長孔１０ｄにカムローラ３１の軸が嵌っていて、これによって上下動自在に保持され、また、カム用バネとして、引っ張りバネｓ１で引き上げられて上記長孔１０ｄの上端位置に保持されている。この引っ張りバネｓ１はカムローラ３１の軸と支持板１０に設けたフック１０ａとの間に張設されている。
この実施例１では引っ張りバネｓ１は密着コイルバネであって、バネ特性における初期張力（図５の特性線図における立ち上がり部）があり、２ｍｍ引き伸ばされた状態（図５における伸び量２ｍｍの点Ａ）で組み付けられており、このときの予荷重が１ｋｇｆになるように上記初期張力とバネ定数が設定されている（図５の伸び量２ｍｍに対するバネの荷重）。
そして、この例では、傾斜カム１１によるカムローラの昇降ストローク（蓋体３の開閉ストローク）は８〜９ｍｍであり、パッキンの標準圧縮量は、そのうちの約２〜３ｍｍである。そして、上記長孔１０ｄは、傾斜カム、カムローラ等の組み付け誤差を見込んで、カムローラ３１が傾斜カム１１のカムストロークよりも若干長い範囲で昇降できるような長さになっている。
【００２７】
洗浄槽２が洗浄機本体１の中に押し込まれてその押し込み動作の終点に近づくと、傾斜カム１１がカムローラ３１に近づき、やがてカムローラ３１が傾斜カム１１のカム面に乗り上げるようになる。カムローラ３１は傾斜カム１１のカム面で押し下げられる。そして、カムローラが押し下げられると、上記引っ張りバネｓを介して蓋体３は引き下げられ、パッキンｐが締め付けられる。
【００２８】
パッキンｐが洗浄槽２に当接して圧縮されるようになると、それにつれて蓋体３の引き下げに対する抵抗が増大する。蓋体３の引き下げ抵抗が上記引っ張りバネｓ１の予荷重（この例では１ｋｇｆ）未満では、その伸び量は設定状態と変わらず、カムローラ３１の下降ストローク分だけ蓋体３が引き下げられる。蓋体３の引き下げ抵抗が引っ張りバネｓ１の予荷重を超えると、これに上記引っ張りバネｓ１が負けて伸びるようになり（図５におけるＡ点）、その後、引っ張りバネｓ１の伸びに応じてバネ力が増大し（図５におけるＡ点からＢ点の範囲）、その時々のバネ力で蓋体３が締め付けられる。そして、最終的にカムローラ３１が傾斜カム１１の水平面に達し（図２参照。図５におけるＢ点）、パッキンに対する締め付け力はそれ以後一定になる。
カムローラ３１に対するガイド孔は必ずしも長孔である必要はなく、図４に示すようなスロット１０ｓでもよい。図４の例による場合は、カムローラの支持板１０への着脱を簡単、容易に行えるという利点がある。
【００２９】
実施例１では、引っ張りバネとして強い予張力を有する密着コイルバネ（強いプレストレスがかけられて強く密着されているもの）を採用しているが、引っ張りバネｓ１は予荷重がかかった状態で組み付けられていればよいのであるから、必ずしも密着バネである必要はない。
しかし、引っ張りバネｓ１が密着コイルバネである場合は、小さなバネ定数のものでも大きな予荷重をかけられるので、図５における伸び量ｅの変動（組み立て誤差などによる変動）によるパッキンに対する締め付け力の変動幅を可及的に小さくすることができる。これが引っ張りバネに密着コイルバネを採用することの利点である。
【００３０】
なお、以上の実施例１は、蓋体３の後方の左右に前後方向の長孔２２があり、洗浄槽３の後方上面に円錐突起２３が設けられていてセンターリング機構が構成されているものについて、このセンターリング機構の配置に合わせて、後方の左右のカムローラ３１が引っ張りバネｓ１に抗して下降自在になっている例である。しかし、センターリング機構を前方及び後方の左右に設け、前後左右のカムローラを引っ張りバネに抗して下降自在なものにすることもでき、この方が、蓋体全体について均等にセンターリング効果を及ぼし、また、蓋体全体について過大な締め付け力がかかることを防止することができる。
【実施例２】
【００３１】
図６、図７の実施例２は、傾斜カムにカム用バネを設けた点で実施例と相違するが、その他の構成は実施例１と違いがない。
洗浄槽２の側面に設けた傾斜カムは中空のカムブロック５１であり、その下側に傾斜カム面がある。
洗浄槽２の側面にカム保持部５０があり、蓋体３の支持板１０にカムローラ３１の軸が固定されている。
上記カム保持部５０にカムブロック５１が上下自在に保持され、その下面がストッパ５２に当接している（図６−１参照）。カムブロック５１にカム用バネとしての圧縮バネｓ２が内装されている。圧縮バネｓ２がカム保持部５０のフランジ５３とカムブロック５１の底面との間に設けられていて、その予荷重が約１ｋｇｆに設定されている。 
なお、上記「カム保持部５０」は、解決手段２における「案内手段」に相当する。
【００３２】
洗浄槽２が洗浄機本体１の中に押し込まれてその押し込み動作の終点に近づくと、洗浄槽２のカムブロック５１がカムローラ３１に近づき、やがてカムローラ３１がカムブロック５１のカム面５１ａに乗り上げるようになる。その後、カムローラ３１がカムブロック５１のカム面５１ａで押し下げられ、カムローラで蓋体３が引き下げられる。
【００３３】
パッキンｐが洗浄槽２に当接し圧縮されると、それにつれて蓋体３の引き下げに対する抵抗が増大する。蓋体３の引き下げ抵抗が上記圧縮バネｓ２の予荷重（この例では１ｋｇｆ）未満では、カムローラ３１の下降ストローク分だけ蓋体３が引き下げられる。しかし、予荷重を超えるとこれに上記圧縮バネｓ２が負けて縮められ、カムブロック５１がカムローラ３１によって押し上げられるようになり、その時々の上記圧縮バネｓ２のバネ力で蓋体３が締め付けられる。そして、最終的にカムローラ３１がカムブロック５１の下側の水平面に達し（図６参照）、パッキンｐに対する締め付け力はそれ以後一定で変わらないようになる。このときの圧縮バネｓ２のバネ力の変化は、実施例１の引っ張りバネｓ１の伸び量の変化に対するバネ力の変化（図５参照）と同様である。
【００３４】
この例では、傾斜カムすなわちカムブロック５１を下方に付勢するカム用バネを圧縮コイルバネにしているが、これを板バネにすることもできる。板バネを用いるときはそのバネ特性をその構造によって種々に設計できるという利点がある。
【図面の簡単な説明】
【００３５】
【図１】は、実施例１又は実施例２の平面図である。
【図２】は、実施例１の閉蓋状態のＸ−Ｘ断面図である。
【図２−１】は、図１のＹ−Ｙ断面図である。
【図３】は、実施例１の開蓋状態のＸ−Ｘ断面図である。
【図３−１】は、開蓋状態のＹ−Ｙ断面図である。
【図４】は、実施例１の一部を変形した例の一部拡大図である。
【図５】は、実施例１におけるカム用バネのバネ力を示す模式図である。
【図６】は、実施例２の閉蓋状態のＸ−Ｘ断面図である。
【図６−１】は、実施例２の閉蓋状態のＹ−Ｙ断面図である。
【図７】は、実施例２の開蓋状態のＸ−Ｘ断面図である。
【図７−１】は、実施例２の開蓋状態のＹ−Ｙ断面図である。
【図８】は、背景技術の断面図である。
【図９】は、図８の蓋体が開から閉に移動する状態の一部拡大図である。
【図１０】は、図９と閉蓋状態の一部拡大図である。
【図１１】は、従来技術の断面図である。
【図１２】は、従来技術の平面図である。
【符号の説明】
【００３６】
１：洗浄機本体
２：洗浄槽
３：蓋体
４：線材バネ（開蓋バネ）
１０：支持板
１０ａ：フック
１０ｄ：長孔
１０ｓ：スロット
１１：傾斜カム
１１ａ：傾斜カム面
１２：傾斜ガイド孔
２２：長孔
２３：円錐突起
３１：カムローラ
３２：ガイドローラ
５０：カム保持部
５１：カムブロック
５２：ストッパ
５３：フランジ
Ｅ：カム用バネの伸びの初期値
ｅ：カム用バネの傾斜カムのカム作動による伸び
ｌ：カム用バネの伸び量
ｐ：パッキン
ｓ１：引っ張りバネ（実施例１では密着コイルバネ）
ｓ２：圧縮バネ
【図１】
2008200388.tif 000003
【図２】
2008200388.tif 000004
【図２−１】
2008200388.tif 000005
【図３】
2008200388.tif 000006
【図３−１】
2008200388.tif 000007
【図４】
2008200388.tif 000008
【図５】
2008200388.tif 000009
【図６】
2008200388.tif 000010
【図６−１】
2008200388.tif 000011
【図７】
2008200388.tif 000012
【図７−１】
2008200388.tif 000013
【図８】
2008200388.tif 000014
【図９】
2008200388.tif 000015
【図１０】
2008200388.tif 000016
【図１１】
2008200388.tif 000017
【図１２】
2008200388.tif 000018
【手続補正書】
【提出日】平成19年2月27日(2007.2.27)
【手続補正１】
【補正対象書類名】図面
【補正対象項目名】図１２
【補正方法】変更
【補正の内容】
【図１２】
2008200388.tif 000019